(57)【要約】【課題】医療専門の人間及び一般人が緊急時に使用する場合にも、迅速に把持し、傷病人に対して常に正確に装着でき、空気漏れのない状態で安心して使用出来る人工呼吸用マスクを提供する。【解決手段】中央部材３は、鼻先Ｎａの近傍及び口Ｍの周囲を外部から透視出来る透明部５と、マスク本体１の把持部６とで構成し、前記マスク本体１を把持して傷病人Ｘに対して装着する際、マスク本体１の把持部６を識別するための領域Ｇが形成してある。把持部６を識別するための領域Ｇは、ガイドラインＳや、模様、艶消し部、エンボス、表面改質及び正面処理から選ばれた一つを使用し、把持部６を識別するための領域Ｇには、マスク本体１を把持する人の指が係合する凹部７が形成してあり、この凹部７は、マスク本体１を把持した時の滑り止めや、位置決めとして利用出来る。把持部６を識別するための領域Ｇは、中央部材３の表面積の50％以下に設定することが好ましく、50％を超えると、鼻先Ｎａの近傍及び口Ｍの周囲を外部から透視出来る透明部５の面積を狭めるからである。【選択図】  図１
2005211208.tif 000002
【特許請求の範囲】
【請求項１】
少なくとも一側面側に給排気用ホース接続口を備え、かつ鼻先部及び鼻骨近傍を硬質で透明な熱可塑性樹脂材料で形成した中央部材と、両頬部及び口との周囲に当接し、顔面の凹凸面に対して追従した状態で気密的に覆う伸縮可撓性材料から成るベース部材とで断面略ドーム状のマスク本体を構成して成る人工呼吸用マスクであって、
前記中央部材に、鼻先近傍及び口の周囲を外部から透視出来る透明部とマスク本体の把持部とで構成し、前記マスク本体を把持して傷病人に対して装着する際、マスク本体の把持部を識別するための領域を形成したことを特徴とする人工呼吸用マスク。
【請求項２】
前記把持部を識別するための領域が、ガイドライン、模様、艶消し部、エンボス、表面改質及び正面処理から選ばれた一つを使用する請求項１に記載の人工呼吸用マスク。
【請求項３】
前記把持部を識別するための領域が、異種素材を貼合わせて構成した請求項１に記載の人工呼吸用マスク。
【請求項４】
前記把持部を識別するための領域に、指が係合する凹部を形成した請求項１，２または３に記載の人工呼吸用マスク。
【請求項５】
前記前記把持部を識別するための領域を、中央部材の表面積の５０％以下に設定する請求項１，２，３または４に記載の人工呼吸用マスク。
【発明の詳細な説明】
【技術分野】
【０００１】
この発明は、特に医療用として使用される人工呼吸用マスクに係わり、更に詳しくはマスクを把持して傷病人に対して装着する際、マスクを正確に把持して傷病人の鼻，口部周囲に確実に圧着させることが出来る人工呼吸用マスクに関するものである。
【背景技術】
【０００２】
従来、病気や事故等により呼吸が停止した傷病人に対して、呼吸の補助を行うための人工呼吸用マスクが数多く提案されている。一般の人工呼吸用マスクは、鼻先近傍及び鼻骨近傍と、両頬部及び口との周囲を気密的に覆うように断面略ドーム状（または断面略楕円状）に形成されており、このマスク中央の略上面には、ポンプのホースと接続させる給排気用ホース接続口が設けられている（特許文献１参照）。
【０００３】
また、このような従来の人工呼吸用マスクは、傷病人の口及び鼻の周囲の顔面に対して装着する際、傷病人の顔に対してソフトで密着性を良くするためにゴム状弾性材料により構成されており、更に送気漏れを少なくするための工夫がなされている。
【０００４】
ところで、現在の人工呼吸用マスクは、医療現場や救急車内等で医療専門の人間が使用することを前提として設計されている物が多い。従って緊急時に一般の人が人工呼吸用マスクを持って傷病人に対して装着する場合には、その装着に手間取ったり、誤って装着したり、また汗等をかいた場合等には、滑り易い等の問題があり、傷病人に対して、また一般使用者に対して必ずしも有効な構造にはなっていないのが現状である。
【特許文献１】特開平８−５７０５４号公報（第２〜第４頁、図１）
【発明の開示】
【発明が解決しようとする課題】
【０００５】
この発明は、かかる従来の問題点に着目して案出されたもので、医療専門の人間及び一般人が緊急時に使用する場合にも、迅速に把持し、傷病人に対して常に正確に装着でき、空気漏れのない状態で安心して使用出来る人工呼吸用マスクを提供することを目的とするものである。
【課題を解決するための手段】
【０００６】
この発明は上記目的を達成するため、少なくとも一側面側に給排気用ホース接続口を備え、かつ鼻先部及び鼻骨近傍を硬質で透明な熱可塑性樹脂材料で形成した中央部材と、両頬部及び口との周囲に当接し、顔面の凹凸面に対して追従した状態で気密的に覆う伸縮可撓性材料から成るベース部材とで断面略ドーム状のマスク本体を構成して成る人工呼吸用マスクであって、前記中央部材に、鼻先近傍及び口の周囲を外部から透視出来る透明部とマスク本体の把持部とで構成し、前記マスク本体を把持して傷病人に対して装着する際、マスク本体の把持部を識別するための領域を形成したことを要旨とするものである。
【０００７】
ここで、前記把持部を識別するための領域が、ガイドライン、模様、艶消し部、エンボス、表面改質及び正面処理から選ばれた一つを使用し、また把持部を識別するための領域を、異種素材を貼合わせて構成することも可能である。
【０００８】
また、前記把持部を識別するための領域に、指が係合する凹部を形成し、前記前記把持部を識別するための領域を、中央部材の表面積の５０％以下に設定するものである。
【０００９】
このように、中央部材に、鼻先近傍及び口の周囲を外部から透視出来る透明部とマスク本体の把持部とで構成し、前記マスク本体を把持して傷病人に対して装着する際、マスク本体の把持部を識別するための領域を形成したので、医療専門の人間及び一般人が緊急時に使用する場合にも、迅速に把持し、傷病人に対して常に正確に装着できるものである。    
【発明の効果】
【００１０】
この発明は、上記のように少なくとも一側面側に給排気用ホース接続口を備え、かつ鼻先部及び鼻骨近傍を硬質で透明な熱可塑性樹脂材料で形成した中央部材と、両頬部及び口との周囲に当接し、顔面の凹凸面に対して追従した状態で気密的に覆う伸縮可撓性材料から成るベース部材とで断面略ドーム状のマスク本体を構成して成る人工呼吸用マスクであって、前記中央部材に、鼻先近傍及び口の周囲を外部から透視出来る透明部とマスク本体の把持部とで構成し、前記マスク本体を把持して傷病人に対して装着する際、マスク本体の把持部を識別するための領域を形成したので、医療専門の人間及び一般人が緊急時に使用する場合にも、迅速に把持し、傷病人に対して常に正確に装着できる効果があり、また空気漏れのない状態で安心して使用出来る効果がある。
【００１１】
また、把持部を識別するための領域を形成したことにより、該領域を把持することが明確になり、透明部に指紋等を付けることによる透明性を損なうことがない。更に、把持部を識別するための領域が、ガイドライン、模様、艶消し部、エンボス、表面改質及び正面処理から選ばれた一つを使用することで、マスク本体を把持した際に滑り難くなり、常に確実に把持することが出来る。
【発明を実施するための最良の形態】
【００１２】
以下、添付図面に基づき、この発明の実施形態を説明する。
【００１３】
図１は、この発明を実施した人工呼吸用マスクを傷病人Ｘの顔面に対して装着した状態の側面図、図２はマスク本体の正面図、図３はマスク本体の背面図、図４はマスク本体の正面側から見た斜視図を示し、前記マスク本体１は、傷病人Ｘの鼻先Ｎａ近傍及び鼻骨部Ｎｂ近傍と、両頬部Ｆ及び口Ｍとの周囲を気密的に覆うように断面略ドーム状に形成されている。
【００１４】
前記マスク本体１は、顔面の凹凸面に対して追従した状態で当接する伸縮可撓性材料（例えば、シリコン系材料，熱可塑性エラストマー等）から成るベース部材２と、鼻先Ｎａ近傍を外部から透視出来る材料（樹脂系の材料）で構成された膨出した中央部材３とで構成され、この膨出した中央部材３の一側面には、給排気用ホース接続口４が設けられている。
【００１５】
前記ベース部材２は、図３に示すように、ベース部材２の開口周面部Ｚを、鼻骨部Ｎｂ及びその周囲に当接する略三角形状に形成された凹凸状の上部当接領域Ｚ１と、左右頬部Ｆの凹凸形状に追従して当接する側部当接領域Ｚ２と、口Ｍの下部近傍の形状に追従して当接する下部当接領域Ｚ３とを連続的に形成してある。
【００１６】
またマスクベース部３の樹脂またはゴム材料として、表面にベタ付きがないシリコーン系樹脂材料で、耐スチーム性が１００℃以上で、かつかつJIS A ゴム硬度が、１〜１０の間に設定したものを使用し、これにより繰返し使用する場合でも、１１０℃前後の高温減菌処理を容易に行うことが出来る。
【００１７】
なお、マスクベース部３のJIS A ゴム硬度を１〜１０の間に設定することにより、傷病人へ適用して顔面に当接した際ソフトな密着性が得られ、より空気漏れを少なくすることが可能となり好ましい。
【００１８】
更に、マスクベース部３のゲル材を合わせたゴム硬度が、アスカーＣで１〜２０の間に設定することにより、傷病人へ適用した際の顔面への追従性が良く、より空気漏れをするなくすることが可能となり好ましい。なお、アスカーＣが１〜２０の範囲を外れても特には問題はない。
【００１９】
なお、ゴム系樹脂材料としては、一般周知のＣＲ、ＮＢＲ、ＳＢＲ、ＮＲ、ＩＲ、ＥＰＤＭ、ＨＮＢＲ、シリコーンゴム、フッ素系ゴム等を挙げることが出来、シリコーン系樹脂を選択する場合には、耐久性に優れている材料を選択することが好ましい。
【００２０】
このように構成することで、顔面の凹凸面に密着して空気漏れを少なく出来、また眼部を圧迫することなく保護した状態で装着することが出来る。
【００２１】
前記中央部材３は、鼻先Ｎａの近傍及び口Ｍの周囲を外部から透視出来る透明部５と、マスク本体１の把持部６とで構成し、前記マスク本体１を把持して傷病人Ｘに対して装着する際、マスク本体１の把持部６を識別するための領域Ｇが形成してある。
【００２２】
前記把持部６を識別するための領域Ｇは、ガイドラインＳや、模様、艶消し部、エンボス、表面改質及び正面処理から選ばれた一つを使用する。模様及び艶消し部は、把持部６の表面をブラストしたり、エッチング等により形成することが可能である。
【００２３】
更に、前記把持部６を識別するための領域Ｇには、マスク本体１を把持する人の指が係合する凹部７が形成してあり、この凹部７は、マスク本体１を把持した時の滑り止めや、位置決めとして利用出来る。
【００２４】
また、把持部６を識別するための領域Ｇは、中央部材３の表面積の５０％以下に設定することが好ましく、５０％を超えると、鼻先Ｎａの近傍及び口Ｍの周囲を外部から透視出来る透明部５の面積を狭めるからである。
【００２５】
また、透明部５の鼻骨部分Ｎｂを覆う部位３ｘを頂点として略三角形状に形成することで、透視部分が狭い形状であっても、拡大レンズ構造にすることで、マスク本体１の装着時における傷病人Ｘの状況を十分に観察し、かつ確認することが出来る。
【００２６】
このように、この実施形態では、膨出した中央部材３を、鼻骨部分Ｎｂを覆う部位３ｘを頂点として略三角形状に形成することで眼部を圧迫することなく保護することが出来、またマスク本体１が握り易くなり、マスク本体１を装着する際、傷病人Ｘの気道確保を容易に行うことが出来る。更に、上述したように中央部材３の中央部分を拡大レンズ構造にすることで、外部から傷病人Ｘの鼻先Ｎａ近傍及び鼻骨部Ｎｂ近傍を容易に観察出来、傷病人Ｘの酸素供給状態を十分に観察し、かつ確認することが出来る。
【００２７】
以上のように、中央部材３に、鼻先Ｎａ近傍及び口Ｍの周囲を外部から透視出来る透明部５とマスク本体１の把持部６とで構成し、前記マスク本体１を把持して傷病人Ｘに対して装着する際、マスク本体１の把持部６を識別するための領域Ｇを形成したので、医療専門の人間及び一般人が緊急時に使用する場合にも、迅速に把持し、傷病人に対して常に正確に装着できるものである。
【図面の簡単な説明】
【００２８】
【図１】この発明を実施した人工呼吸用マスクを傷病人の顔面に対して装着した状態の側面図である。
【図２】マスク本体の正面図である。
【図３】マスク本体の背面図である。
【図４】マスク本体の正面側から見た斜視図である。
【符号の説明】
【００２９】
１  マスク本体                ２  ベース部材
２ａ〜２ｃ  ベース部材
３  中央部材                  ４  給排気用ホース接続口
５  透明部                    ６  把持部
７  凹部                      Ｘ  傷病人
Ｇ  領域                      Ｓ  ガイドライン
Ｎａ  鼻先                    Ｎｂ  鼻骨部
Ｆ  両頬部                    Ｍ  口
Ｚ１  上部当接領域            Ｚ２  側部当接領域
Ｚ３  下部当接領域  
【図１】
2005211208.tif 000003
【図２】
2005211208.tif 000004
【図３】
2005211208.tif 000005
【図４】
2005211208.tif 000006